(57)【要約】【課題】  ボルトとナットで被締結部材を締め付けた後、締付ネジを締め付けることによりナットの緩みを解消することができるロック式ボルトとロック方法を提供すること。【解決手段】  本発明のロック式ボルトは、軸部の先方から頭部方向に向け穿孔された穿孔部と、穿孔部の内周に螺刻した雌ネジと、穿孔部の開口部近傍に形成された切込とを備えるボルトと、前記穿孔部に螺合される締付ネジとを備えることを特徴とする。また、前記穿孔部の先方にテーパ部を形成した。また前記切込は、穿孔部の開口部近傍に複数穿孔されている。  本発明のロック方法は、ボルトに被締付部材を配置させ、次いでナットにて被締付部材を締め付けた後、穿孔部に締付ネジをねじ込みナットを締め付けることを特徴とする。【選択図】図１
2014013071.tif 000002
【特許請求の範囲】
【請求項１】
軸部の先方から頭部方向に向け穿孔された穿孔部と、穿孔部の内周に螺刻した雌ネジと、穿孔部の開口部近傍に形成された切込とを備えるボルトと、前記穿孔部に螺合される締付ネジとを備えることを特徴とするロック式ボルト。
【請求項２】
前記穿孔部の開口部にテーパ部を形成した請求項１記載のロック式ボルト。
【請求項３】
前記切込は、穿孔部の開口部近傍に複数穿孔されている請求項１または２記載のロック式ボルト。
【請求項４】
ボルトに被締付部材を配置させ、次いでナットにて被締付部材を締め付た後、穿孔部に締付ネジをねじ込みナットを締め付けるロック方法。
【発明の詳細な説明】
【技術分野】
【０００１】  本発明は、被締結部材を締め付けた後、ナットの緩みを解消することができるロック式ボルトとロック方法に関する。
【背景技術】
【０００２】  一般的に、二つ以上の部材を結合するにはボルトとナットが使用される。部材を結合するには、被締結部材の貫通孔にボルトを挿入させ、ボルトの先端よりナットを螺着させてナットを締め付ける結合させる。【０００３】  しかし、時間が経につれて、振動の発生や部材の変形によりナットが緩み、締付効力が低下するという問題が発生する。そのため、定期的に検査を行いナットの再締付を実施しなければならなかった。
【先行技術文献】
【特許文献】
【０００４】  それらの課題を解決する従来技術として、激しく振動する器機等に使用する、耐振用の締め付けロックボルト装置であって、ボルトの締め込み及び取り外しの時間を短縮する締め付けロックボルト装置がある（例えば特許文献１参照）。
上掲特許文献１の締め付けロックボルト装置は、ボルトとその中心に穿設した中心穴に挿入する先端に膨出部を有するピンとから成り、ボルトはその先端部をテーパ状に形成し、ネジ部を上部と先端下部の２箇所に分かち、その中間部をネジを欠除した部分とし、軸芯部にピンを挿通する有底穴を穿設し、ボルト先端テーパ部の中腹部まで縦方向に切り込みを（前記有底穴の底より高い位置まで）入れ、前記上部のネジ部のネジの切削長さを、略ナットのネジの長さとし、下部テーパ部分のネジを、ボルトの中心孔にピンを圧挿入した状態で、ネジが上部のネジと同様のピッチのネジに形成し、前記上部ネジと下部ネジとの中間部をネジの欠除した部分としたことを特徴とする。
【特許文献１】実用新案登録第３０２５６１５号公報
【発明の概要】
【発明が解決しようとする課題】
【０００５】  しかしながら、上掲特許文献１の締め付けロックボルトは、ボルトに中心穴を貫通させた状態で穿孔させる必要があり、加工の際に多くの手間が必要となった。また締め込みには、膨出部を有するピンを使用するため材料コストが掛るという問題も生じた。【０００６】  そこで本発明は上記の点に鑑み、ボルトとナットで被締結部材を締め付けた後、締付ネジを締め付けることにより、ナットの緩みを解消することができるロック式ボルトとロック方法を提供することにある。
【解決を解決するための手段】
【０００７】  上記課題を解決するために本発明のロック式ボルトは、軸部の先方から頭部方向に向け穿孔された穿孔部と、穿孔部の内周に螺刻した雌ネジと、穿孔部の開口部近傍に形成された切込とを備えるボルトと、前記穿孔部に螺合される締付ネジとを備えることを特徴とする。
【０００８】  また、前記穿孔部の開口部にテーパ部を形成した。
【０００９】  また前記切込は、穿孔部の開口部近傍に複数穿孔されている。
【００１０】  本発明のロック方法は、ボルトに被締付部材を配置させ、次いでナットにて被締付部材を締め付けた後、穿孔部に締付ネジをねじ込みナットを締め付けることを特徴とする。
【発明の効果】
【００１１】  軸部の先方から頭部方向に向け穿孔された穿孔部と、穿孔部の内周に螺刻した雌ネジと、穿孔部の開口部近傍に形成された切込とを備えるボルトと、前記穿孔部に螺合される締付ネジとを備えることにより、部品点数を削減できるとともに、製造コストも軽減できる。
【００１２】  また、ボルトに被締付部材を配置させ、次いでナットにて被締付部材を締め付けた後、穿孔部に締付ネジをねじ込みナットを締め付けることにより、容易に、且つ確実にナットをロックすることができる。
【図面の簡単な説明】
【００１３】
【図１】本発明におけるロック式ボルトの全体斜視図である。
【図２】前記ロック式ボルトの使用状態の斜視図である。
【図３】（ａ）はロック式ボルトの側面図、（ｂ）はその断面図である。
【図４】（ａ）はロック式ボルトの締め付け状態の側面図、（ｂ）はその断面図である。
【図５】ロック式ボルトの拡大断面図である。
【図６】締付ネジを締め付けた状態の拡大断面図である。
【発明を実施するための形態】
【００１４】  本発明のロック式ボルトは、ボルトとナットで被締結部材を締め付けた後、締付ネジを締め付けることにより、ナットの緩みを解消することができることを特徴とするものである。
以下、本発明のロック式ボルトにおける実施の形態を図面に基づいて説明する。
【００１５】  図示する本発明のロック式ボルト１は、軸部１１の先方から頭部１２方向に向け穿孔された穿孔部１３と、穿孔部１３の内周に螺刻した雌ネジ１４と、穿孔部１３の開口部１６近傍に形成された切込１５とを備えるボルト１０と、前記穿孔部１３に螺合される締付ネジ２０とを備えることを特徴とする。
【００１６】  軸部１１はやや長尺に形成されており、周囲にはナット３０の雌ネジ３１と螺合する雄ネジ１４が螺刻されている。また前記軸部１１の一端には、多角形状（図中六角形）の頭部１２が具備されている。
【００１７】  また特に、前記軸部１１には、軸部１１の先方から頭部１２方向に向け穿孔部１３が穿孔されている。穿孔部１３は円柱状を呈しており、軸部１１の中芯部であって、軸部１１の略中央部分まで延設されている。また穿孔部１３の内周には、後述詳細の締付ネジ２０の雄ネジ２１に螺合する雌ネジ１４が螺刻されている。
【００１８】  また前記軸部１１の先方であって、前記穿孔部１３の開口部１６には、テーパ部１７が形成されている。テーパ部１７は、締付ネジ２０の傾斜部２２に係合する状態に傾斜している。
【００１９】  切込１５は、穿孔部１３の開口部１６近傍に複数穿孔されている。前記切込１５は、穿孔部１３の開口部１６から頭部１２の方向に適宜長さに亘り形成されている。また前記切込１５は、軸部１１の開口部１６近傍に４箇所形成することが好ましい。
【００２０】  締付ネジ２０は、前記軸部１１の穿孔部１３に螺着されるもので、傾斜部２２を有する頭部２３と、頭部２３に連接された雄ネジ２１とからなる。また締付ネジ２０の頭部２３中央部分には、六角レンチ等が装着される凹部２４が形成されている。
【００２１】  次に、図３乃至図６に基づいて本発明のロック式ボルトのロック方法を説明する。
先ず、被締結部材４０に開孔部を形成し、ボルト１０の軸部１１を挿通させる。次に図３に示すように、汎用のナット３０を軸部１１に螺着させ、通常のように被締結部材４０を締め付ける。
【００２２】  ナット３０にて被締結部材４０を締め付けた後、締付ネジ２０をボルト１０の穿孔部１３に挿入させ、図４に示すように、穿孔部１３のテーパ部１７と締付ネジ２０の傾斜部２２が接合するまで締付ネジ２０を締め付ける。
【００２３】  さらに締付ネジ２０を締め付けると、図６に示すように、締付ネジ２０は先方に送り込まれるとともに、締付ネジ２０の傾斜部２２が穿孔部１３のテーパ部１７を外周方向へ押圧し、穿孔部１３に形成された切込１５を矢印方向に拡張させる。
【００２４】  締付ネジ２０にて穿孔部１３を拡張させることにより、ボルト１０の軸部１１に螺着されたナット３０は、被締結部材４０をさらに締め付けるとともに、完全にロックされた状態に締結される。
【００２５】  上述の如く、本発明のロック式ボルトおよびロック方法によれば、容易に、且つ確実にナットを締結することができるとともに、部品点数を削減できて製造コストも軽減できる。
【符号の説明】
【００２６】１    ロック式ボルト
１０  ボルト
１１  軸部
１２  頭部
１３  穿孔部
１４  雄ネジ
１５  切込
１６  開口部
１７  テーパ部
２０  締付ネジ
２１  雄ネジ
２２  傾斜部
２３  頭部
２４  凹部
３０  ナット
３１  雌ネジ
４０  被締結部材
【図１】
2014013071.tif 000003
【図２】
2014013071.tif 000004
【図３】
2014013071.tif 000005
【図４】
2014013071.tif 000006
【図５】
2014013071.tif 000007
【図６】
2014013071.tif 000008